(57)【要約】  本発明は、一般的に容器に関し、特に、例えば飲料のための缶（１４）と、容器開封装置（９）と、容器（１４）と、容器（１４）のためのクロージャー装置（１２）と、容器開封装置（９）のための半加工素材とに関する。容器（１４）は、典型的には密封可能であり、容器（１４）を密封するためにその容器に取り付け可能であるクロージャー（１６）を有する。クロージャー（１６）は、周縁部が脆弱化された区域（２０）、又は、部分的に周縁部が脆弱化された区域（２０）を有する。容器開封装置（９）は、区域（２０）に隣接してクロージャー（１６）に対して作動的に取り付け可能である作動タブ（２２）であって、使用時に、第１の位置と第２の位置との間におけるその作動タブ（２２）の作動が、区域（２０）の脆弱化された周縁部からの区域（２０）の剪断又は分離を生じさせ、これによって容器（１４）の内部に対する開口部を提供する作動タブ（２２）と、第１の位置と第２の位置との間における作動タブ（２２）の作動を容易にするために、作動タブ（２２）に取り付けられているか又は取り付け可能であるプル部材（１０）と、を備える。容器（１４）とクロージャー装置（１２）とがこの装置を構成する。
2019521929.tif 000002
【特許請求の範囲】
【請求項１】
容器を密封するために該容器に対して取り付け可能であるクロージャーであって、周縁部が脆弱化された区域又は部分的に周縁部が脆弱化された区域を有するクロージャーを備える密封可能な容器と共に使用するための容器開封装置であって、
前記区域に隣接して前記クロージャーに対して作動的に取り付け可能である作動タブであって、第１の位置と第２の位置との間における作動タブの作動が、前記区域の脆弱化された周縁部からの前記区域の剪断又は分離を生じさせ、これによって、使用時に、前記容器の内部に対する開口部を提供する作動タブと、
前記第１の位置と前記第２の位置との間における前記作動タブの作動を容易にするために、前記作動タブに取り付けられているか又は取り付け可能であるプル部材と、
を備える容器開封装置。
【請求項２】
前記プル部材は前記作動タブと共に一体的に形成され、前記プル部材は、該プル部材が前記作動タブに対して概ね平行である第１の位置と、該プル部材が前記作動タブに対して概ね横断方向にある第２の位置との間を可撓的に移動可能である、請求項１に記載の容器開封装置。
【請求項３】
前記プル部材は１つ又は複数の適切な可撓性を有する連結部分を介して前記作動タブに取り付けられているループを備える、請求項１又は２に記載の容器開封装置。
【請求項４】
前記プル部材は前記作動タブと同一の材料で作られている、請求項１〜３の何れか一項に記載の容器開封装置。
【請求項５】
前記容器開封装置は成形容易な金属材料の平らな板で作られている、請求項１〜４の何れか一項に記載の容器開封装置。
【請求項６】
前記金属材料は、アルミニウム、錫、鉄、及び合金を含むグループから選択される請求項５に記載の容器開封装置。
【請求項７】
前記作動タブは、該作動タブの自由端部が前記区域に隣接して配置されているように、ヒンジ式連結部において前記クロージャーにヒンジ式に取り付け可能であり、
前記ヒンジ式連結部を中心とした前記第１の位置と前記第２の位置との間において枢動式に前記作動タブの移動が、前記作動タブの前記自由端部が前記区域に突き当たることを生じさせ、且つ、使用時における前記容器の内部への開口部を提供するように前記区域の脆弱化された周縁部からの前記区域の剪断又は分離を生じさせる、請求項１〜６の何れか一項に記載の容器開封装置。
【請求項８】
前記作動タブは該作動タブ上のステーであり、前記作動タブは、前記区域の周縁部から前記区域を剪断するように作動した後に前記第１の位置に戻る、請求項７に記載の容器開封装置。
【請求項９】
前記クロージャーは第１の平面上に備えられ、前記作動タブは、概ね平らであり、且つ、第２の平面に沿って延び、前記作動タブが前記第１の位置にある時に、前記作動タブに関連した前記第２の平面が前記第１の平面に対して概ね平行であり、前記作動タブが前記第２の位置にある時に、前記作動タブに関連した前記第２の平面が前記第１の平面に対して概ね横断方向にある、請求項７又は８に記載の容器開封装置。
【請求項１０】
前記プル部材は、前記第１の平面に対して横断方向に引っ張られるように構成されており、これによって、使用時に、前記ヒンジ式連結部を中心とした前記作動タブの前記第１の位置から前記第２の位置への枢動的に移動する、請求項９に記載の容器開封装置。
【請求項１１】
前記プル部材は第３の平面内に備えられており、前記プル部材が前記第１の位置にある時に、前記プル部材に関連した前記第３の平面は、前記作動タブに関連した前記第２の平面に対して概ね平行であり、前記プル部材が前記第２の位置にある時に、前記プル部材に関連した前記第３の平面は、前記作動タブに関連した前記第２の平面に対して概ね横断方向にある、請求項９又は１０に記載の容器。
【請求項１２】
前記作動タブは前記区域に隣接して前記ヒンジ式連結部に取り付けられ、前記作動タブが前記第１の位置にある時に、前記作動タブの前記自由端部が前記区域の上方に配置される、請求項７〜１１の何れか一項に記載の容器開封装置。
【請求項１３】
前記作動タブは前記プル部材より硬い材質である、請求項１〜１２の何れか一項に記載の容器開封装置。
【請求項１４】
前記作動タブは、該作動タブの内部及び前記プル部材の一方又は両方に比べて、前記作動タブの周縁部に隣接するより硬質の平らなタブである、請求項１〜１３の何れか一項に記載の容器開封装置。
【請求項１５】
前記プル部材の端部部分は上向き部分を備え、該上向き部分は前記プル部材の縦方向軸線から斜めに延びる、請求項１〜１４の何れか一項に記載の容器開封装置。
【請求項１６】
前記プル部材は適切な取付部材によって前記作動タブに取り付け可能である、請求項１〜１５の何れか一項に記載の容器開封装置。
【請求項１７】
前記取付部材は、接着剤、プレススタッド、相互連結部材のうちの１つ又は複数によって作動タブに取り付け可能である、請求項１６に記載の容器開封装置。
【請求項１８】
前記取付部材及び前記プル部材は、前記作動タブとは異なる材料で作られている、請求項１６又は１７に記載の容器開封装置。
【請求項１９】
密封容器を提供するように適切な形態で容器の解放端部に取り付けるための容器クロージャー装置であって、
第１の平面内に備えられている平らな本体を有するクロージャーであって、該クロージャーの周縁部において前記容器の開放端部に取り付けられるように構成され、周縁部が脆弱化されている区域、又は少なくとも部分的に周縁部が脆弱化されている区域を確定するクロージャーと、
容器開封装置であって、前記区域に隣接して前記クロージャーに対して作動的に取り付け可能である作動タブであって、第１の位置と第２の位置との間における作動タブの作動が、前記区域の脆弱化された周縁部からの前記区域の剪断又は分離を生じさせ、これによって、使用時に、前記容器の内部に対する開口部を提供する作動タブと、
前記第１の位置と前記第２の位置との間における前記作動タブの作動を容易にするために、前記作動タブに取り付けられているか又は取り付け可能であるプル部材と、を有する容器開封装置と、
を備える、容器クロージャー装置。
【請求項２０】
前記プル部材は前記作動タブと共に一体的に形成され、前記プル部材は、該プル部材が前記作動タブに対して概ね平行である第１の位置と、該プル部材が前記作動タブに対して概ね横断方向にある第２の位置との間を可撓的に移動可能である、請求項１９に記載の容器クロージャー装置。
【請求項２１】
前記プル部材は１つ又は複数の適切な可撓性を有する連結部分を介して前記作動タブに取り付けられているループを備える、請求項１９又は２０に記載の容器クロージャー装置。
【請求項２２】
前記プル部材は前記作動タブと同一の材料で作られている、請求項１９〜２１の何れか一項に記載の容器クロージャー装置。
【請求項２３】
前記容器開封装置は成形容易な金属材料の平らな板で作られている、請求項１９〜２２の何れか一項に記載の容器クロージャー装置。
【請求項２４】
前記金属材料は、アルミニウム、錫、鉄、及び合金を含むグループから選択される請求項２３に記載の容器クロージャー装置。
【請求項２５】
前記作動タブは、該作動タブの自由端部が前記区域に隣接して配置されているように、ヒンジ式連結部において前記クロージャーにヒンジ式に取り付け可能であり、
前記ヒンジ式連結部を中心とした前記第１の位置と前記第２の位置との間において枢動式に前記作動タブの移動が、前記作動タブの前記自由端部が前記区域に突き当たることを生じさせ、且つ、使用時における前記容器の内部への開口部を提供するように前記区域の脆弱化された周縁部からの前記区域の剪断又は分離を生じさせる、請求項１９〜２４の何れか一項に記載の容器クロージャー装置。
【請求項２６】
前記作動タブは該作動タブ上のステーであり、前記作動タブは、前記区域の周縁部から前記区域を剪断するように作動した後に前記第１の位置に戻る、請求項２５に記載の容器クロージャー装置。
【請求項２７】
前記クロージャーは第１の平面上に備えられ、前記作動タブは、概ね平らであり、且つ、第２の平面に沿って延び、前記作動タブが前記第１の位置にある時に、前記作動タブに関連した前記第２の平面が前記第１の平面に対して概ね平行であり、前記作動タブが前記第２の位置にある時に、前記作動タブに関連した前記第２の平面が前記第１の平面に対して概ね横断方向にある、請求項２５又は２６に記載の容器クロージャー装置。
【請求項２８】
前記プル部材は、前記第１の平面に対して横断方向に引っ張られるように構成されており、これによって、使用時に、前記ヒンジ式連結部を中心とした前記作動タブの前記第１の位置から前記第２の位置への枢動的に移動する、請求項２７に記載の容器クロージャー装置。
【請求項２９】
前記プル部材は第３の平面内に備えられており、前記プル部材が前記第１の位置にある時に、前記プル部材に関連した前記第３の平面は、前記作動タブに関連した前記第２の平面に対して概ね平行であり、前記プル部材が前記第２の位置にある時に、前記プル部材に関連した前記第３の平面は、前記作動タブに関連した前記第２の平面に対して概ね横断方向にある、請求項２７又は２８に記載の容器クロージャー装置。
【請求項３０】
前記作動タブは前記区域に隣接して前記ヒンジ式連結部に取り付けられ、前記作動タブが前記第１の位置にある時に、前記作動タブの前記自由端部が前記区域の上方に配置される、請求項２５〜２９の何れか一項に記載の容器クロージャー装置。
【請求項３１】
前記作動タブは前記プル部材より硬い材質である、請求項１９〜３０の何れか一項に記載の容器クロージャー装置。
【請求項３２】
前記作動タブは、該作動タブの内部及び前記プル部材の一方又は両方に比べて、前記作動タブの周縁部に隣接するより硬質の平らなタブである、請求項１９〜３１の何れか一項に記載の容器クロージャー装置。
【請求項３３】
前記プル部材の端部部分は上向き部分を備え、該上向き部分は前記プル部材の縦方向軸線から斜めに延びる、請求項１９〜３２の何れか一項に記載の容器クロージャー装置。
【請求項３４】
前記プル部材は適切な取付部材によって前記作動タブに取り付け可能である、請求項１９に記載の容器クロージャー装置。
【請求項３５】
前記取付部材は、接着剤、プレススタッド、相互連結部材のうちの１つ又は複数によって作動タブに取り付け可能である、請求項３４に記載の容器クロージャー装置。
【請求項３６】
前記取付部材及び前記プル部材は、前記作動タブとは異なる材料で作られている、請求項３４又は３５に記載の容器クロージャー装置。
【請求項３７】
請求項１〜１８の何れか一項に記載の容器開封装置を備える容器。
【請求項３８】
請求項１９〜３６の何れか一項に記載の容器クロージャー装置を備える容器。
【請求項３９】
密封可能な容器と共に使用する容器開封装置のための半加工素材であって、
前記容器開封装置は容器を密封するために該容器に取り付け可能であるクロージャーを有し、該クロージャーは、周縁部が脆弱化された区域、又は部分的周縁部が脆弱化された区域を有しており、
作動タブ部分と、可撓性を有する連結部によって前記作動タブ部分に連結されている一体状のプル部分と、を有する平らな本体を備える半加工素材。
【発明の詳細な説明】
【技術分野】
【０００１】
本発明は、一般的に容器に関し、特に、例えば飲料のための缶のような缶、容器開封装置、容器、容器のためのクロージャー装置、及び、容器開封装置のための半加工素材に関する。
【背景技術】
【０００２】
例えば、缶のような容器が、その内容物を収容するのに適した空洞を画定する密封可能な本体を有する。その缶の表面上における周縁部に刻み目が付けられている区域のような、周縁部が脆弱化されている区域（ｐｅｒｉｐｈｅｒａｌｌｙ  ｗｅａｋｅｎｅｄ  ｚｏｎｅ）を備える缶の頂部と一体になっているクロージャー装置と、その区域に隣接して支点に取り付けられている移動可能な作動タブとを備える缶が、空洞内の缶内容物に到達するために提供され、及び、この作動タブは、第１の平面内の第１の位置において、その区域に隣接して平らに位置することが一般的である。
【０００３】
缶の内容物に到達するために上記タイプの缶を開封する方法の１つが、タブ指片の一方の末端を掴んで、第１の位置から、第１の平面を横断する第２の平面内の第２の位置にタブ指片を移動させることである。例えば、支点を中心とした枢動の形態で、反対側に位置するタブ端部がその区域に対して押し当たることを生じさせ、このタブ端部からその区域に加えられる力によって、その脆弱化された周縁部からその区域が切り離されるようにそのタブを押し動かし、これによって、空洞に対する開口部を実現する。その後に、このタブが枢動させられて、開口部を塞がないように第１の位置に戻される。
【０００４】
上述したタイプの動作は、フィンガータブが通常は缶の表面に対して同一の平面上にあるので、特に、フィンガータブが第１の位置にある時にそのフィンガータブを最初に把持するために、著しい量の指先の器用さと労力とを必要とする。したがって、使用者は、通常は、上述した移動のためにフィンガータブを把持するのに十分なだけフィンガータブを持ち上げることが可能であるように、自分の指爪を使用する。したがって、このことは、壊れやすい爪、長い爪、及び、マニキュア液を塗った爪を有する使用者の爪に損傷を与える危険性があるので、こうした使用者にとって問題となる。これに加えて、最小限の指爪しか持たない使用者は、こうした缶を開封するために苦労することだろう。このために、多くの人々は、不便なことに、缶を開封するためのキーや専用オープナー等のような外部物品を必要とする。
【発明の概要】
【発明が解決しようとする課題】
【０００５】
したがって、缶を開封することに関連した上述の問題点を少なくとも改善することが、本発明の１つの目的である。
【課題を解決するための手段】
【０００６】
容器を密封するためにその容器に対して取り付け可能であるクロージャーを有し、及び、このクロージャーは、周縁部が脆弱化された区域、又は、部分的に周縁部が脆弱化された区域を有する、密封可能な容器と共に使用するための容器開封装置であって、この容器開封装置は、
使用時に、第１の位置と第２の位置との間における作動タブの作動が上記区域の脆弱化された周縁部からの上記区域の剪断又は分離を生じさせ、これによって容器の内部に対する開口部を実現するように、上記区域に隣接して、クロージャー装置に対して作動的に取り付け可能である作動タブと、
第１の位置と第２の位置との間における作動タブの作動を容易にするために、作動タブに取り付けられているか又は取り付け可能であるプル部材と、を備える。
【０００７】
このプル部材は、作動タブと共に一体的に形成されていてもよい。このプル部材は、このプル部材が作動タブに対して概ね平行である第１の位置と、このプル部材が作動タブに対して概ね横断方向にある第２の位置との間において、可撓的に又は柔軟に移動可能であってもよい。
【０００８】
プル部材は、１つ又は複数の適切な可撓性を有する連結部分を介して作動タブに取り付けられているループを備えてもよい。
【０００９】
プル部材が、作動タブと同一の材料で作られていてもよいということに留意されたい。特に、容器開封装置は、成形容易な金属材料の平らな板で作られていてもよく、例えば、この金属材料は、アルミニウム、錫、鉄、及び、合金を含むグループから選択されてもよい。
【００１０】
作動タブは、作動タブの自由端部が上記区域に隣接して配置されるように、ヒンジ式連結部においてクロージャーにヒンジ式に取り付け可能であってもよく、および、このヒンジ式連結部を中心とした第１の位置と第２の位置との間における枢動の形態での作動タブの移動が、作動タブの自由端部が上記区域に突き当たることを生じさせ、且つ、使用時における容器内部への開口部を実現するために、上記区域の脆弱化された周縁部からの上記区域の剪断又は分離を生じさせる。
【００１１】
作動タブは、この作動タブ上のステー（ｓｔａｙ）であってもよい。作動タブは、上記区域の周縁部から上記区域を剪断するように作動させられもよく、及び、この作動タブは、その第１の位置に戻されてもよい。
【００１２】
クロージャーは第１の平面上に備えられてもよく、及び、作動タブは概ね平らであり、且つ、第２の平面に沿って延び、及び、作動タブが第１の位置にある場合に、作動タブに関連した第２の平面が第１の平面に対して概ね平行であり、及び、作動タブが第２の位置にある時に、作動タブに関連した第２の平面が第１の平面に対して概ね横断方向にある。
【００１３】
プル部材は、第１の平面に対して横断方向に引っ張られるように構成されていてもよく、これによって、使用時に、ヒンジ式連結部を中心とした作動タブの第１の位置から第２の位置への枢動的な移動を生じさせる。
【００１４】
プル部材は第３の平面内に備えられてもよく、及び、プル部材が第１の位置にある時に、プル部材に関連した第３の平面が、作動タブに関連した第２の平面に対して概ね平行であり、及び、プル部材が第２の位置にある時に、プル部材に関連した第３の平面が、作動タブに関連した第２の平面に対して概ね横断方向にある。
【００１５】
作動タブは、その作動タブが第１の位置にある時にその作動タブの自由端部が脆弱化区域の上方に配置されているように、上記区域に隣接してヒンジ式連結部に取り付けられていてもよい。
【００１６】
作動タブは、例えば、構造によって、又は、作動タブを形成する材料によって、プル部材よりも硬質であってもよい。作動タブは、その作動タブの内部とプル部材の一方又は両方に比べて、その作動タブの周縁部に隣接して、より硬質である平らな作動タブであってもよい。
【００１７】
プル部材の端部部分は上向き部分を備えてもよく、および、この上向き部分は、プル部材の縦方向軸線から斜めに延びる。
【００１８】
プル部材は、適切な取付部材によって作動タブに取り付け可能であってもよい。この取付部材は、接着剤、プレススタッド、及び、相互連結部材のうちの１つ又は複数によって作動に取り付け可能であってよい。
【００１９】
取付部材とプル部材は、作動タブとは異なる材料で作られていてもよい。
【００２０】
本発明の第２の態様では、密封容器を実現するように適切な形で容器の開放端部に取り付けるための容器クロージャー装置が提供され、及び、この容器クロージャー装置は、
第１の平面内に備えられている平らな本体を有するクロージャーであって、このクロージャーの周縁部において容器の開放端部に取り付けられるように構成されており、且つ、周縁部が脆弱化されている区域、又は、少なくとも部分的に周縁部が脆弱化されている区域を画定するクロージャーと、
容器開封装置であって、
第１の位置と第２の位置との間における作動タブの作動が、使用時に容器の内部に対する開口部を実現するために、その脆弱化された周縁部からの上記区域の剪断又は分離を生じさせるように、上記部分に隣接してクロージャーに作動的に取り付け可能である作動タブと、
第１の位置と第２の位置との間における作動タブの作動を容易化するために、作動タブに取り付けられているか又は取り付け可能であるプル部材とを備える容器開封装置と、
を備える。
【００２１】
この容器開封装置が上述した容器開封装置に概ね類似していてもよいということを理解されたい。
【００２２】
本発明の第３の態様では、上述した容器開封装置又は容器クロージャー装置を備える容器が提供される。
【００２３】
本発明の第４の態様では、容器を密封するためにその容器に取り付け可能であるクロージャーを有する、密封可能な容器と共に使用するための容器開封装置のための半加工素材が提供され、及び、このクロージャーは、周縁部が脆弱化された区域、又は、部分的に周縁部が脆弱化された区域を有し、及び、この半加工素材は、
作動タブ部分と、可撓性を有する連結部によって作動タブ部分に連結されている一体状のプル部材部分とを有する、平らな本体を備える。
【００２４】
本明細書で説明する容器は、飲料又は食品を貯蔵するためのタイプであってもよいということに留意されたい。
【図面の簡単な説明】
【００２５】
【図１】本発明の例示的な実施形態による容器開封装置の斜視図を示す。
【図２】本発明の例示的な実施形態による容器開封装置の別の斜視図を示す。
【図３】第１の位置にあるタブに装置が取り付けられている、本発明の例示的な実施形態による缶の一部分の斜視図を示す。
【図４】第２の位置にあるタブに装置が取り付けられている、本発明の例示的な実施形態による缶の一部分の斜視図を示す。
【図５】プル部材とタブとが第１の位置にある、本発明の例示的な実施形態によるタブを備える、クロージャー装置を備える缶の一部分の斜視図を示す。
【図６】プル部材が第２の位置にあり且つタブが第１の位置にある、本発明の例示的な実施形態によるタブを備えるクロージャー装置を備える缶の一部分の斜視図を示す。
【図７】プル部材が第２の位置にあり且つタブが第２の位置にある、本発明の例示的な実施形態によるタブを備えるクロージャー装置を備える缶の一部分の斜視図を示す。
【図８】プル部材が第２の位置にあり且つタブが第１の位置にある、本発明の例示的な実施形態によるタブを備えるクロージャー装置を備える缶の一部分の斜視図を示す。
【図９】プル部材が第１の位置にあり且つタブが第１の位置にある、本発明の例示的な実施形態によるタブを備えるクロージャー装置を備える缶の一部分の斜視図を示す。
【図１０】プル部材とタブとが第１の位置にある、本発明の別の例示的な実施形態によるタブを備えるクロージャー装置を備える缶の一部分の斜視図を示す。
【図１１】プル部材が第２の位置にあり且つタブが第１の位置にある、図１０の缶の一部分の斜視図を示す。
【図１２】プル部材が第２の位置にあり且つタブが第２の位置にある、図１０の缶の一部分の斜視図を示す。
【図１３】プル部材が第２の位置にあり且つタブが第１の位置にある、図１０の缶の一部分の斜視図を示す。
【発明を実施するための形態】
【００２６】
後続の記述では、説明のために、本開示の一実施形態の完全な理解を実現するように、多数の特定の詳細事項が説明されている。しかし、これらの特定の詳細事項なしに本開示が実現されてもよいということが、当業者にとって明らかだろう。
【００２７】
図面の図１〜図４を参照すると、本発明の例示的な実施形態による容器開封装置が、照合番号９によって全体的に示されている。装置９は、典型的には、容器の内容物に対して到達するために、例えば缶１４の形状である容器のような容器のクロージャー装置１２の作動を容易化するためのものである。
【００２８】
この点に関して、この缶１４が、例えば飲料によって満たされる空洞を画定する概ね円筒形の本体を有し、且つ、缶１２の開放端部に対してそのクロージャー１６の周縁部において圧着されている、概ね平らな本体１８を有するクロージャー１６を備える、適切なクロージャー装置によって密封されている、従来通りの金属缶１４であるということを理解されたい。クロージャー１６は、例えば刻み目やミシン目２０．１等によって、周縁部が脆弱化されているか又は少なくとも部分的に周縁部が脆弱化されている本体１８内に配置されている区域２０を備える。区域２０が、脆弱化されている周縁部の一部分に沿って剪断されるけれども、適切に脆弱化されていない周縁部においては、この区域２０がクロージャー上に依然として保持されるように、この区域２０が、少なくとも部分的にこの区域２０の周縁部において脆弱化されているということを理解されたい。
【００２９】
いずれにしても、装置９は、移動可能な作動タブ２２と、作動タブの端部に取り付け可能なプル部材１０（図３と図４に最も明瞭に見てとれる）とを備える。プル部材１０は、作動タブ２２に対する取り付けのための取付部材１０．１と、この部材１０．１に対して作動的に取り付け可能である適切なループ又はリングとを備える。作動タブ２２は、区域２０に隣接してリベット２２．１を介して取り付けられている。
【００３０】
作動タブ２２は典型的には硬質であり、及び、平らな金属板で従来通りに打抜き及び折り曲げによって通常は形成されている、概ね長方形であるフレーム形構造を有する。作動タブ２２の一方の端部２２．２は、少なくとも部分的に区域２０を超えて外に突き出し、一方、他方の端部２２．３は、本体１８／クロージャー１６に関連した平面に対して概ね平行であり、且つこの平面からわずかに間隔が開けられている第１の平面内の第１の位置（図１に示されている）から、第１の平面に対して概ね横断方向にあり且つ本体１８に関連した平面である第２の平面内の第２の位置（図２に示されている）との間において、リベット２２．１を中心として作動タブ２２を枢動させるように係合することが可能である。従来通りに、作動タブ２２は、第１の位置にある時に、本体１８に概ね近接しているか又は本体１８と同一の平面内に位置するということを理解されたい。
【００３１】
プル部材１０、特にループ１０．２は、従来通りに可撓性を有し、特に、作動タブ２２に比べて可撓性を有する。したがって、プル部材１０は、典型的には、例えば作動タブ２２の金属材料よりも展延性が大きい金属材料やプラスチックポリマー材料等のような、作動タブ２２よりも可撓性が高い材料で作られている。特定の例示的な実施形態では、プル部材１０は、その構造によって作動タブ２３よりも可撓性が高く、及び、例えば、作動タブ２２は折り曲げられた金属で作られていてもよく、これによって、プル部材１０は、同一の金属で、しかし、例えば巻回ワイヤー又はより薄い部材のような、より高い可撓性を実現する形で形成される。したがって、プル部材１０はループ形の部材であり、及び、例えば、指の係合の容易性を得るように、形状決定及び／又は寸法決定されている。
【００３２】
いずれにしても、上述したように、取付部材１０．１は、典型的に、接着剤によって、溶接によって、リベットによって、又は、取付部材１０．１が作動タブ２２と一体状であるように折り曲げることによる作動タブ２２の形成中に、本体１８の間に作動タブ２２の下方に、作動タブ２２の端部２２．３に取り付けられる。１つの例示的な実施形態では、取付部材１０．１は、その中に端部２２．３を受け入れるように形成及び／又は寸法決定されてもよい。しかし、この目的のために、部材１０．１は、その中に端部２２．３を受け入れるためのスロットを備えてもよい。取り付けの手段が何であっても、取付部材１０．１は、プル部材１０の取り外しを困難にする仕方で、少なくとも作動タブ２２の端部２２．３に対してプル部材１０を効果的に固定するということを理解されたい。
【００３３】
プル部材１０が、その形成中に作動タブ２２に取り付けられ、及び、その後に、クロージャー装置１２の一部分を形成する際に作動タブ２２を取り付けられてもよいが、プル部材１０は、例えば、クロージャー装置１２に対する取り付けの後でさえ、作動タブ２２．１に遡及的に取り付けられてもよいということを理解されたい。
【００３４】
組立時に、プル部材１０が作動ブ２２上に配置され、及び、上述した適切な手段によって作動タブ２２に固定される。使用時には、そのクロージャー装置に作動的に取り付けられている装置９を伴うクロージャー装置１２が缶１４上に位置し、及び、ユーザーが缶の内容物に対する到達を望むと、ユーザーは、可撓性を有するループ形部材１０．２の中に指を入れて、作動タブ２２と本体１８とに関連付けられている平面に対して横断方向に可撓性ループ形部材１０．２を引っ張る。例えば、部材１０．２は、矢印Ａ（図１を参照されたい）の方向に上方に引っ張られる。
【００３５】
上方に且つ矢印Ｒ（図２を参照されたい）に端部２２．３を引っ張ることが、リベット２２．１に位置している支点を中心として枢動の形態で第１の位置から第２の位置に作動タブ２２が移動させられることを生じさせる。作動タブ２２の移動によって得られる機械的な前進が、本体１８に関連付けられている平面に対して横断方向に、矢印Ｂ（図１を参照されたい）に下方に作動タブ２２の端部２２．２を押し動かし、したがって、図２に示されている缶１４に対する開口２４を実現するために、刻み目付きの周縁部２０．１に沿って区域２０を本体１８から切り離すように押し動かす。上述したように、区域２０は、典型的には、缶１４の中に区域２０が放出されないように、少なくとも部分的に本体１８に取り付けられている。
【００３６】
添付図面の図５〜図９を参照すると、クロージャー装置１１２と、装置１００と、上述した区域に概ね類似している区域１２０とを備える缶１１４が、本発明の例示的な一実施形態において示されている。
【００３７】
本発明の分野の専門家は、缶１４に関する上記説明が、図５〜図９の缶１１４の同様の構成要素に適用され、及び、その逆もまた同様であるということを理解するだろう。缶１１４は、缶１４と概ね同様であるが、缶１４とは１つの特定の点で異なり、装置１００は、その作動タブ１２２の一体的に形成された構成要素として、主本体１２４を有するタブ１２２と、端部部分１２２．３に隣接して作動タブ１２２の主本体１２４に作動的に連結されているループ形のプル部材１２６とを備える。このために、装置１００は、例えば金属のような同一の金属で作られており、及び、本明細書で開示する装置１００の形に金属板から切断されて曲げられ／丸められる半加工素材から形成されている。
【００３８】
プル部材１２６は、典型的には、作動タブ１２２、特にその硬質本体１２４よりも可撓性が大きく、及び、比較的に薄く且つ展延性がある。例示的な一実施形態では、部材１２６が硬質本体１２４に対して枢動する形態で移動可能であるように、プル部材１２６の一部分だけが、特にプル部材１２６と硬質本体１２４との間の交代（interchange）において、可撓性又は展延性を有する。
【００３９】
特に、部材１２６は、図５と図９に示されている第１の位置と、図６から図８に示されている第２の位置との間を、可撓的に移動可能であり、この第１の位置では、部材１２６は硬質本体１２４上に曲げられており、且つ、硬質本体１２４に関連した平面に対して概ね平行であり且つこの平面からわずかに間隔が開けられている平面内に位置しており、及び、第２の位置では、部材１２６は、硬質本体１２４に関連した平面に対して概ね横断方向にある平面内に位置している。
【００４０】
形成時には、作動タブ１２２は、典型的には、金属板から半加工素材として切断されて、本明細書で説明する作動タブ１２２を形成するように、自動化された仕方で曲げられ／丸められる。作動タブ１２２は、ミシン目付きの周縁部を有する区域１２０に隣接してクロージャー１１６の本体１１８に少なくとも部分的にリベット１２２．１によって取り付けられている。
【００４１】
例えば、飲料が、缶１１４によって画定されている円筒形空洞の内に位置しており、及び、クロージャーが、そのクロージャーの円周方向の周縁部において従来通りに缶１１４の開放端部に対して圧着されており、これによって、缶１１４の内容物を缶１１４内に気密的に密封する。
【００４２】
使用時には、缶１１４を開封することを望むユーザーが、その装置１００のループ１２６を掴み、及び、ループ１２６が可撓性を有するので、ユーザーは、部材１２６と硬質本体１２４との間の連結部を中心として矢印Ｃ（図５を参照されたい）の方向において第１の位置から第２の位置にループ１２６を容易に枢動させることが可能である。
【００４３】
上述した仕方に類似した仕方で、指片が、部材１２６によって画定されたループ内に位置させられており、及び、作動タブ１２２が、第１の位置から、区域１２０が本体１１８から分離させられて図７から図９に示されている開口１２４を実現することを生じさせる第２の位置に、リベット１２２．１を中心として枢動の形態で移動させられることを生じさせるように、作動タブ１２２が上方に且つ矢印Ｒ（図７を参照されたい）の方向に引っ張られる。
【００４４】
開封された後に、作動タブ２２は、採用随意に、図８に示されているように第１の位置に戻るように枢動させられる。同様に、部材１２６は、採用随意に、図９に示されている第１の位置に戻るように枢動させられる。
【００４５】
次に添付図面の図１０〜図１３を参照すると、これらの図では、好ましい例示的な実施形態による別の装置が、照合番号２００で全体的に示されている。装置２００は、図１１に最も明瞭に見てとれるように、適切なリベット２１２によってクロージャー装置２１６に取り付けられている。このクロージャー装置２１６は、缶２１４を密封するように缶２１４に取り付けられている。図１０〜図１３に示されている本発明の例示的な実施形態が、図５〜図９に示されている本発明の例示的な実施形態の好ましい例示的な実施形態を示し、したがって、特に明記しない限り、上述の説明が図１０〜図１３に関して、この実施形態に当てはまるということが、本発明の分野の専門家にとって明らかだろう。
【００４６】
装置１００と装置２００との間の相違点は、装置２００が、曲がりやすい連結部材２２０を介して可撓性を有するように作動タブ２２２に対して一体状に取り付けられているループ形又はリング形のプル部材２２８を備えるということである。このようにして、プル部材２２６は、上述したように可撓性を有する形で、作動タブ２２２に対して相対的に第１の位置と第２の位置との間を枢動するだろう。さらに、作動タブ１２２とは異なる作動タブ２２２の形状及び／又は寸法とは別に、作動タブ２２２は、その作動タブ２２２の自由端部、例えば、プル部材２２６に連結されている端部２２２．４、反対側の端部２２２．３の付近において、作動タブ２２２の外縁部により高い構造的硬直性を与えるために、外縁隆起部又は肥大部分を画定してもよい。
【００４７】
使用時には、装置２００の使用は、上述した装置１００の使用と概ね同じである。
【００４８】
本明細書で説明した本発明は、飲料缶、特に本明細書で説明されているプルタブ（ｐｕｌｌ−ｔａｂ）タイプの缶を開封する便利な方法を提供し、これによって、爪を傷つける可能性を低減し、且つ、缶を開封することが可能であるために外部の器具及び道具の必要性を取り除く。
【図１】
2019521929.tif 000003
【図２】
2019521929.tif 000004
【図３】
2019521929.tif 000005
【図４】
2019521929.tif 000006
【図５】
2019521929.tif 000007
【図６】
2019521929.tif 000008
【図７】
2019521929.tif 000009
【図８】
2019521929.tif 000010
【図９】
2019521929.tif 000011
【図１０】
2019521929.tif 000012
【図１１】
2019521929.tif 000013
【図１２】
2019521929.tif 000014
【図１３】
2019521929.tif 000015
【国際調査報告】
2019521929.tif 000016
2019521929.tif 000017